(57)【要約】【課題】昇柱に支障を来さない、電柱に巻き付き登ってくる蔓性植物の巻き上がりを防止し、又は蔓性植物の巻き上がり速度を遅くする蔓性植物巻き上がり防止具を提供する。【解決手段】電柱に取付け使用される蔓性植物巻き上がり防止具１であって、電柱に巻き付き登ってくる蔓性植物の巻き上がりを防止する傘部１０と、前記傘部１０を開閉可能に支持する支持部と、該蔓性植物巻き上がり防止具を電柱に取付けるための取付部３０と、を有し、前記傘部１０は、電柱に取付けられた状態で開閉可能である。【選択図】図１
2017077039.tif 000002
【特許請求の範囲】
【請求項１】
電柱に取付け使用される蔓性植物巻き上がり防止具であって、
電柱に巻き付き登ってくる蔓性植物の巻き上がりを防止する傘部と、
前記傘部を開閉可能に支持する支持部と、
該蔓性植物巻き上がり防止具を電柱に取付けるための取付部と、を有し、
前記傘部は、電柱に取付けられた状態で開閉可能なことを特徴とする蔓性植物巻き上がり防止具。
【請求項２】
前記支持部は、ばねの作用によりワンタッチで前記傘部を閉じる機構を備えることを特徴とする請求項１に記載の蔓性植物巻き上がり防止具。
【請求項３】
前記傘部は、着脱可能な切断部を有し、
前記支持部は、半割れ構造を有し、一端部が回動可能に連結され他端部が開閉可能に構成され、
前記取付部は、半割れのバンド部材を有し、該バンド部材の一端部が回動可能に連結され他端部が開閉可能に構成され、
前記傘部の切断部、前記支持部の他端部、前記取付部の他端部が、平面視において、同じ位置に配されていることを特徴とする請求項１又は２に記載の蔓性植物巻き上がり防止具。
【請求項４】
前記支持部は、前記傘部を支持する親骨、前記親骨の一端が回動自在に連結する上部リング、前記親骨に一端を回動自在に連結し親骨を支持する受骨、前記受骨の他端が回動自在に連結する下部リングを有し、
前記親骨、上部リング、受骨及び下部リングは、電柱に取付けられ前記傘部を開いた状態で、正面視において傘部内に位置することを特徴とする請求項１から請求項３のいずれか１項に記載の蔓性植物巻き上がり防止具。
【請求項５】
前記取付部は、前記傘部を開いた状態で維持するための係止具を備え、
前記係止具は、電柱の足場ボルトに係止し前記傘部を開いた状態で維持することを特徴とする請求項１から請求項４のいずれか１項に記載の蔓性植物巻き上がり防止具。
【発明の詳細な説明】
【技術分野】
【０００１】
本発明は、電柱に巻き付きながら登っていく蔓性植物の巻き上がりを防止する蔓性植物巻き上がり防止具に関する。
【背景技術】
【０００２】
高圧線等を支持する電柱及び電柱が倒れないように支持する支線には、蔓性植物が巻き付くことが従来から問題視されており、これまでに多くの防止具が提案されている。これまで蔓性植物は、支線を伝わって電柱さらには高圧配電線等に巻付く事象が多く見られたため、提案されている蔓性植物巻き上がり防止具も支線に装着し使用するものが多い（例えば特許文献１、特許文献２参照）。
【０００３】
電柱の近くに樹木がある場合には、樹木から電柱に向かって蔓性植物が延び、蔓性植物が電柱に巻き付きながら登っていくケースもあることから、電柱に装着することで、電柱に蔓性植物が巻き付いて延びることを防止する防止具も提案されている（例えば特許文献３、特許文献４参照）。
【先行技術文献】
【特許文献】
【０００４】
【特許文献１】特開２０１１−１７７１０２号公報
【特許文献２】特開２００９−９１７１６号公報
【特許文献３】特開２００８−３５６８６号公報
【特許文献４】特開平５−２３１０４４号公報
【発明の概要】
【発明が解決しようとする課題】
【０００５】
特許文献３に記載の防止具は、電柱に電源供給用ケーブル等がある場合、それを足場に蔓性植物が巻き上がっていくとし、電源供給用ケーブル等を覆うカバーを設けるというものである。さらにカバーを光不透過性の部材で構成することで、カバーと電柱との間の隙間に入った蔓性植物の光合成を防止し、蔓性植物の巻き上がりを防止する。
【０００６】
特許文献４に記載の防止具は、粘着テープと椀を逆さにした形状の登はん防止具とを備え、粘着テープにより蛇の這い上がりを防止し、登はん防止具で蔓性植物の巻き上がりを防止する。
【０００７】
特許文献３に記載の防止具は、蔓性植物が巻き上がっていく際の足場となる部材をカバーで覆うことで蔓性植物の巻き上がりを防止するが、蔓性植物の巻き上がり防止対策として十分とは言い難い。特許文献４に記載の防止具の場合、蔓性植物の巻き上がりを効果的に防止するには、椀を逆さにした形状の登はん防止具を大きくすればよい。しかしながら支線と異なり電柱では昇柱作業が行われるため、椀を逆さにした形状の登はん防止具を単に大きくすると、昇柱のじゃまとなる。このため電柱に巻き付き登ってくる蔓性植物に対しては、発見の都度、取り除いているのが実情である。
【０００８】
蔓性植物巻き上がり防止具は、蔓性植物の巻き上がりを完全に防止できることが望ましいことは当然であるが、蔓性植物の巻き上がり速度を遅くするだけでも実用的効果は大きい。これまで昇柱のじゃまをすることなく、蔓性植物の巻き上がりを防止あるいは抑制する防止具はなく、開発が待たれている。
【０００９】
本発明の目的は、昇柱に支障を来さない、電柱に巻き付き登ってくる蔓性植物の巻き上がりを防止し、又は蔓性植物の巻き上がり速度を遅くする蔓性植物巻き上がり防止具を提供することである。
【課題を解決するための手段】
【００１０】
本発明は、電柱に取付け使用される蔓性植物巻き上がり防止具であって、電柱に巻き付き登ってくる蔓性植物の巻き上がりを防止する傘部と、前記傘部を開閉可能に支持する支持部と、該蔓性植物巻き上がり防止具を電柱に取付けるための取付部と、を有し、前記傘部は、電柱に取付けられた状態で開閉可能なことを特徴とする蔓性植物巻き上がり防止具である。
【００１１】
本発明の蔓性植物巻き上がり防止具は、雨傘のように開閉する傘部を有するので、蔓性植物巻き上がり防止具を電柱に取付け、傘部を開いておけば、蔓性植物の巻き上がりを防止し、又は蔓性植物の巻き上がり速度を遅くすることができる。傘部は閉じることができるので、昇柱作業の際には傘部を閉じておけば、昇柱の邪魔にならない。このため傘部を大きくすることが可能であり、効果的に蔓性植物の巻き上がりを防止し、又は蔓性植物の巻き上がり速度を遅くすることができる。
【００１２】
また本発明の蔓性植物巻き上がり防止具において、前記支持部は、ばねの作用によりワンタッチで前記傘部を閉じる機構を備えることを特徴とする。
【００１３】
本発明の蔓性植物巻き上がり防止具は、ワンタッチで傘部を閉じることができるので使い勝手がよい。
【００１４】
また本発明の蔓性植物巻き上がり防止具において、前記傘部は、着脱可能な切断部を有し、前記支持部は、半割れ構造を有し、一端部が回動可能に連結され他端部が開閉可能に構成され、前記取付部は、半割れのバンド部材を有し、該バンド部材の一端部が回動可能に連結され他端部が開閉可能に構成され、前記傘部の切断部、前記支持部の他端部、前記取付部の他端部が、平面視において、同じ位置に配されていることを特徴とする。
【００１５】
本発明の蔓性植物巻き上がり防止具は、着脱可能な傘部の切断部、開閉可能な支持部の他端部及び取付部の他端部が、平面視において同じ位置に配置されているので、既存の電柱に対しても、既存の電柱を改良することなく簡単に取付け使用することができる。
【００１６】
また本発明の蔓性植物巻き上がり防止具において、前記支持部は、前記傘部を支持する親骨、前記親骨の一端が回動自在に連結する上部リング、前記親骨に一端を回動自在に連結し親骨を支持する受骨、前記受骨の他端が回動自在に連結する下部リングを有し、前記親骨、上部リング、受骨及び下部リングは、電柱に取付けられ前記傘部を開いた状態で、正面視において傘部内に位置することを特徴とする。
【００１７】
本発明の蔓性植物巻き上がり防止具は、電柱に取付けられ傘部を開いた状態で、正面視において、傘部を支持する支持部材の全てが傘部内に位置するので、蔓性植物が支持部材に巻き付いたしても容易に傘部を乗り越えることができない。これにより蔓性植物の巻き上がり速度を遅くすることができる。
【００１８】
また本発明の蔓性植物巻き上がり防止具において、前記取付部は、前記傘部を開いた状態で維持するための係止具を備え、前記係止具は、電柱の足場ボルトに係止し前記傘部を開いた状態で維持することを特徴とする。
【００１９】
本発明の蔓性植物巻き上がり防止具は、電柱の足場ボルトに係止具を係止し、傘部を開いた状態で維持するので使い勝手がよい。
【発明の効果】
【００２０】
本発明によれば、昇柱に支障を来すことなく、電柱に巻き付き登ってくる蔓性植物の巻き上がりを防止し、又は蔓性植物の巻き上がり速度を遅くする蔓性植物巻き上がり防止具を提供することができる。
【図面の簡単な説明】
【００２１】
【図１】本発明に係る一実施形態の蔓性植物巻き上がり防止具１を上方から見た斜視図である。
【図２】本発明に係る一実施形態の蔓性植物巻き上がり防止具１を下方から見た斜視図である。
【図３】図１の蔓性植物巻き上がり防止具１を開いた状態の正面半断面図である。
【図４】図１の蔓性植物巻き上がり防止具１を閉じた状態の正面半断面図である。
【図５】図１の蔓性植物巻き上がり防止具１を電柱１０１に取付け、開いた状態を示す外観図である。
【図６】図１の蔓性植物巻き上がり防止具１を電柱１０１に取付け、閉じた状態を示す外観図である。
【発明を実施するための形態】
【００２２】
図１は、本発明に係る一実施形態の蔓性植物巻き上がり防止具１を上方から見た斜視図、図２は、蔓性植物巻き上がり防止具１を下方から見た斜視図である。図３は、図１の蔓性植物巻き上がり防止具１を開いた状態の正面半断面図、図４は、図１の蔓性植物巻き上がり防止具１を閉じた状態の正面半断面図である。図５は、図１の蔓性植物巻き上がり防止具１を電柱１０１に取付け、開いた状態を示す外観図であり、図６は、図１の蔓性植物巻き上がり防止具１を電柱１０１に取付け、閉じた状態を示す外観図である。なお、図２では、係止具４１の記載を省略した。
【００２３】
本発明に係る蔓性植物巻き上がり防止具１は、電柱１０１に巻き付き登ってくる蔓性植物１１０の巻き上がりを防止する装置であり、図５及び図６に示すように電柱１０１に取付け使用される。なお、ここで蔓性植物１１０の巻き上がりを防止するとは、蔓性植物１１０の巻き上がりを抑制し、巻き上がり難くする（巻き上がり速度を遅くする）ことも含まれる。
【００２４】
蔓性植物巻き上がり防止具１は、電柱１０１に巻き付き登ってくる蔓性植物１１０の巻き上がりを防止する傘部１０、傘部１０を開閉可能に支持する支持部１５、蔓性植物巻き上がり防止具１を電柱１０１に取付けるための取付部３１を有する。
【００２５】
傘部１０は、柔軟性を有しかつ強度のある布、例えば帆布、合成樹脂製の布を傘地１１とし、支持部１５の親骨１６により支持され、今日一般的に使用されている傘（以下、本発明との混同を防ぐため雨傘と記す）と同様に、開閉可能である。傘部１０は、開いた状態では図１、図３に示すように截頭円錐体（円錐台）形状である。一方、閉じた状態では、傘地１１に柔軟性を有する布を使用する関係から図４、図６に示すように雨傘を閉じた状態、あるいはギャザースカートのような形態となる。
【００２６】
傘部１０の大きさは、蔓性植物１１０の巻き上がりを防止する点において大きい方が好ましいが、極端に大きくすると閉じたとき傘部１０の下端部１２が、電柱１０１の足場ボルト１０２に衝突し、傘部１０の一部が捲れ上がり又は傘部１０を完全に閉じることができなくなる。これらの点を考えれば取付ける電柱１０１の直径が３００ｍｍの場合、傘部１０を開いた状態で傘部１０の下端部１２の直径が５００〜６００ｍｍ程度である。
【００２７】
傘部１０は、蔓性植物１１０の巻き上がりを防止する点から開いた状態では図１、図３に示すように円錐台形状とする必要があるが、閉じた状態では、昇柱に支障を来さない状態にまでコンパクトになれば特に形態は問われない。よって親骨１６を起点に規則正しく折り畳まれる構造、例えばプリーツスカート状の構造を採用してもよい。この場合、傘地１１は、その構造に適したものを使用すればよい。
【００２８】
傘部１０は、蔓性植物巻き上がり防止具１を電柱１０１に取付け可能とするため、一カ所が完全に切断されている。この切断部１３には、重ね代１４が設けられ、重ね代１４には、互いを連結する手段として面ファスナ（図示省略）が設けられている。連結手段は、面ファスナに限定されるものではなく、ホック、ボタンなど開閉自在なものを使用することができる。また切断部１３に重ね代１４を設けることなく、両端部にファスナ（スライドファスナ）を設けてもよい。
【００２９】
支持部１５は、傘部１０を開閉可能に支持する部位であり、傘地１１が固定される親骨１６、親骨１６を支持する受骨１９、親骨１６の一端が連結する上部リング２２、受骨１９の一端が連結する下部リング２４、及び上部リング２２と下部リング２４とに連結するコイルばね３０を備える。
【００３０】
親骨１６は、雨傘の親骨と同様に、複数本の親骨１６からなり、傘部１０を支持する。本実施形態では、断面が半円形状の棒状の親骨１６が、円周方向に８本均等に配置されているが、親骨１６の本数は８本に限定されるものではない。親骨１６の長さは、傘地１１と略同一であり、親骨１６の一端（下端）は、傘部１０の下端部１２と一致する。親骨１６の太さ、材質は、特定の太さ、材質に限定されるものではなく、風雨等により破損することなく傘部１０を支持することができればよい。この点は、受骨１９も同じである。
【００３１】
親骨１６と傘地１１との固定要領は、特に限定されるものではなく親骨１６及び傘地１１の材質により適宜選択すればよく、接着剤による固定、糸による固定などが例示される。
【００３２】
親骨１６の一端は、上部リング２２に設けられた受部２３に回動自在に嵌り込み、支持ピン（図示省略）で回動自在に連結される。なお、親骨１６と上部リング２２との連結方法は、上記方法に限定されるものではなく、回動自在に連結できれば他の方法であってもよい。また親骨１６の中間部には、受骨１９の一端が連結する、中心に貫通孔が穿設された連結具１８が設けられている。
【００３３】
受骨１９は、雨傘の受骨と同様に、親骨１６と同数の受骨１９を有し、親骨１６を支持すると共に、下部リング２４と連結する。受骨１９は、棒状であり、受骨１９の一端が親骨１６に設けられた連結具１８と連結ピン２０で回動自在に連結される。一方、受骨１９の他端は、下部リング２４に設けられた受部２５に回動自在に嵌り込み、支持ピン（図示省略）で回動自在に連結される。
【００３４】
受骨１９及び下部リング２４は、傘部１０の開閉によらず、正面視において常に傘部１０内となるように配置されている。受骨１９及び下部リング２４をこのように配置すれば、蔓性植物１１０が受骨１９及び親骨１６に巻き付いても傘部１０の上側（表側）に出難く、蔓性植物１１０が傘部１０の上側（表側）に出ることを防止し、あるいは蔓性植物１１０が傘部１０の上側（表側）に出るまでの時間を遅らせることができる。なお、親骨１６及び上部リング２２も、傘部１０の開閉によらず、正面視において常に傘部１０内となるように配置されている。
【００３５】
上部リング２２は、蔓性植物巻き上がり防止具１を取付け使用する電柱１０１の外径とほぼ同じ直径を有する円形状のリングであり、雨傘の上ろくろに該当する。上部リング２２は、親骨１６を回動自在に支持する部材であり、親骨１６の一端が嵌り込む受部２３が円周方向に均等に設けられている。本実施形態において、上部リング２２は、取付部３１の装着バンド３２の下端に、装着バンド３２を延長する形で装着バンド３２と一体的に形成されている。なお、上部リング２２と装着バンド３２とは別体でもよいが、上部リング２２を別体とする場合、電柱１０１に取付ける関係から上部リング２２は、バンド構造とする必要がある。このバンド構造は、後述の下部リング２４を参照されたい。
【００３６】
下部リング２４も、上部リング２２と同様に蔓性植物巻き上がり防止具１を取付け使用する電柱１０１の外径とほぼ同じ直径を有する円形状のリングであり、雨傘の下ろくろに該当する。下部リング２４は、受骨１９を回動自在に支持する部材であり、受骨１９の一端が嵌り込む受部２５が円周方向に均等に設けられている。
【００３７】
下部リング２４は、半割れの一対のバンド２６の一端部がヒンジ２７で連結され、ヒンジ２７を中心に回動可能であり他端部を開閉することができる。一対のバンド２６の他端部には、各々折曲げ部２８が設けられ、折曲げ部２８を付き合わせることで、電柱１０１の外径とほぼ同じ直径を有する円形状のリングが形成される。折曲げ部２８には、ボルト挿通孔が穿設され、このボルト挿通孔を利用してボルトで左右の折曲げ部２８を固定することができる。
【００３８】
下部リング２４の折曲げ部２８の位置は、平面視において、傘部１０の切断部１３の位置と一致しており、さらに後述の装着バンド３２の折曲げ部３５の位置とも一致する。このようにすることで、電柱１０１に対して蔓性植物巻き上がり防止具１を後付けすることができる。
【００３９】
コイルばね３０は、上部リング２２と下部リング２４とを連結する部材であり、円周方向に９０°ピッチで４カ所、上部リング２２と下部リング２４とを連結するように取付けられている。コイルばね３０の個数は、４個に限定されるものではなく、少なくとも１個、好ましくは２個以上である。
【００４０】
コイルばね３０は、上部リング２２と下部リング２４との間隔を狭める方向に作用する。よって傘部１０を開くためには、コイルばね３０の圧縮方向の力に抗して、上部リング２２と下部リング２４との間隔を広げる必要があり、上部リング２２と下部リング２４とをフリーの状態とすると、傘部１０は、完全に閉じた状態となる。
【００４１】
取付部３１は、蔓性植物巻き上がり防止具１を電柱１０１に固定するための装着バンド３２、係止フック３８及び係止具４１を備える。
【００４２】
装着バンド３２は、傘部１０の上方に位置し、下部リング２４と同様の構造からなる。具体的には、半割れの一対のバンド３３の一端部がヒンジ３４で連結され、ヒンジ３４を中心に回動可能となっており他端部を開閉することができる。一対のバンド３３の他端部には、各々折曲げ部３５が設けられ、折曲げ部３５を付き合わせることで、電柱１０１の外径とほぼ同じ直径を有する円形状のリングが形成される。折曲げ部３５には、ボルト挿通孔が穿設され、このボルト挿通孔を利用してボルト３６で左右の折曲げ部３５を固定することができる。
【００４３】
装着バンド３２の下端には、装着バンド３２を延長する形で装着バンド３２と一体的に上部リング２２が形成されており、本実施形態では傘部１０内に位置する部分が上部リング２２となる。折曲げ部３５の位置が、平面視において、傘部１０の切断部１３の位置及び下部リング２４の折曲げ部２８と一致することは前記の通りである。
【００４４】
係止フック３８は、蔓性植物巻き上がり防止具１を電柱１０１に設けられた足場ボルト１０２に引掛けるための部材であり、短冊状の板材の先端部に足場ボルト１０２に係止するフック部３９が設けられている。基端部には、折曲げ部３５に固定するためボルト挿通孔が穿設され、折曲げ部３５を固定するボルト３６を介して一緒に固定される。なお、係止フック３８の構造、形態は、本実施形態に限定されるものではなく、蔓性植物巻き上がり防止具１を電柱１０１に設けられた足場ボルト１０２を利用して確実に固定することができれば他の構造、形態であってもよい。
【００４５】
係止具４１は、電柱１０１に取付けられた蔓性植物巻き上がり防止具１の傘部１０を開いた状態で固定するための部材であり、下部リング２４に固定されたロープ４２とロープ４２の先端に取付けられたナスカン４３とからなる。ナスカン４３は、電柱１０１に設けられた足場ボルト１０２に引掛け固定するためのものであり、公知のナスカン４３を使用することができる。なお、足場ボルト１０２に簡単かつ確実に引掛けることができる部材であれば、ナスカン４３以外のものであってもよい。
【００４６】
ナスカン４３を引掛ける足場ボルト１０２ｂは、係止フック３８を引掛ける足場ボルト１０２ａの一段下の足場ボルト１０２ｂであり、平面視において１８０°の位置に設けられている。足場ボルト１０２ａと一段下の足場ボルト１０２ｂとの間隔は、通常の電柱１０１で４５０ｍｍ程度である。
【００４７】
ロープ４２の長さは、下部リング２４を引下げ、傘部１０を所定の開度に開いた状態で固定することができる長さとなっている。図３及び図５からも分かるようにロープ４２の長さが長過ぎても逆に短過ぎても傘部１０を十分に開くことができない。
【００４８】
蔓性植物巻き上がり防止具１の使用方法を説明する。
【００４９】
傘部１０の切断部１３、装着バンド３２の折曲げ部３５及び下部リング２４の折曲げ部２８を開き、蔓性植物巻き上がり防止具１を電柱１０１に装着する。その後、装着バンド３２の左右の折曲げ部３５を突合せ、さらに係止フック３８と一緒にボルト３６で固定し、係止フック３８のフック部３９を足場ボルト１０２ａに引掛ける。その後、下部リング２４の左右の折曲げ部２８を突合せ、ボルトで固定し、傘部１０の切断部１３を、面ファスナで連結する。
【００５０】
この状態では、コイルばね３０の作用で傘部１０が閉じた状態であるので、ロープ４２を引下げ、ナスカン４３を足場ボルト１０２ｂに引掛ける。これにより傘部１０を開いた状態で電柱１０１に固定することができる。本蔓性植物巻き上がり防止具１は、着脱可能な傘部１０の切断部１３、開閉可能な装着バンド３２の折曲げ部３５及び下部リング２４の折曲げ部２８が平面視において同じ位置に配置されているので、既存の電柱１０１に対しても、既存の電柱１０１を改良することなく簡単に取付け使用することができる。
【００５１】
蔓性植物巻き上がり防止具１の傘部１０が開いた状態では、電柱１０１に巻き付き蔓性植物１１０が登ってきても、蔓性植物１１０は、傘部１０により上昇が妨げられる。時間経過と共に蔓性植物１１０が受骨１９、親骨１６を伝わり、傘部１０の上側（表側）に達することも考えられるが、蔓性植物１１０が傘部１０の上側（表側）、さらには配電線に達するには時間を要する。つまり、蔓性植物巻き上がり防止具１の傘部１０を開いた状態で電柱１０１に取付けておくことで、蔓性植物の巻き上がりを防止しあるいは抑制し、結果、配電線事故を防止することができる。
【００５２】
作業員が電柱１０１に昇柱する場合には、足場ボルト１０２ｂに引掛けられているナスカン４３を外す。ナスカン４３を取外すと、コイルばね３０の作用により下部リング２４が引き上げられる。これにより受骨１９及び親骨１６が鉛直方向となり、傘部１０が自動的に閉じる。つまりワンタッチで傘部１０を閉じることができる。傘部１０が閉じることで昇柱スペースが確保され、蔓性植物巻き上がり防止具１は、昇柱のじゃまとならない。昇柱作業終了後は、ロープ４２を引下げ、ナスカン４３を足場ボルト１０２ｂに引掛け、傘部１０を開いた状態にしておけばよい。
【００５３】
以上のように本発明に係る蔓性植物巻き上がり防止具１は、傘部１０を閉じることができるので、電柱１０１に取付けたままでも昇柱のじゃまとならず、蔓性植物巻き上がり防止具１を電柱１０１に取付けることで蔓性植物１１０の巻き上がりを防止しあるいは抑制することができる。また傘部１０を閉じることができるので傘部１０を大きくすることが可能であり、効果的に蔓性植物１１０の巻き上がりを防止し、又は蔓性植物１１０の巻き上がり速度を遅くすることができる。
【００５４】
また本発明に係る蔓性植物巻き上がり防止具１は、足場ボルト１０２を利用して取付けられるので取付けも簡単であり、さらに既存の電柱１０１を改良することなく簡単に取付け使用することができるので使い勝手がよい。
【００５５】
本発明に係る蔓性植物巻き上がり防止具１は、上記実施形態に限定されるものではなく要旨を変更しない範囲で変更して使用することができる。例えば、蔓性植物巻き上がり防止具１を電柱１０１に固定する方法として、係止フック３８を使用することなく装着バンドを電柱１０１に締め付け固定する方法、係止具４１の代わりに装柱バンドを使用し、これを電柱１０１に締め付け固定する方法などがある。
【符号の説明】
【００５６】
１  蔓性植物巻き上がり防止具
１０  傘部
１１  傘地
１２  下端部
１３  切断部
１５  支持部
１６  親骨
１９  受骨
２２  上部リング
２４  下部リング
２６  左右バンド
２７  ヒンジ
２８  折曲げ部
３０  コイルばね
３１  取付部
３２  装着バンド
３３  一対のバンド
３４  ヒンジ
３５  折曲げ部
３８  係止フック
４１  係止具
４２  ロープ
４３  ナスカン
１０１  電柱
１０２，１０２ａ，1０２ｂ  足場ボルト
１１０  蔓性植物
【図１】
2017077039.tif 000003
【図２】
2017077039.tif 000004
【図３】
2017077039.tif 000005
【図４】
2017077039.tif 000006
【図５】
2017077039.tif 000007
【図６】
2017077039.tif 000008